【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
貯蔵スペースの入口および出口の端それぞれに、入口閉鎖装置および出口閉鎖装置を具備するごみパッケージ貯蔵機器であって、
各閉鎖装置は、
開いた、間隔を空けられている位置と、閉じた、隣接した位置と、の間で相対的に移動可能な第１閉鎖部材および第２閉鎖部材と、
前記出口の端において、前記第１閉鎖部材および第２の閉鎖部材を開いた位置へと、前記入口の端において、前記第１閉鎖部材および第２の閉鎖部材を閉じる位置へと、同時に動かすように操作可能なアクチュエーターと、
を具備する、ごみパッケージ貯蔵機器。
【手続補正２】
【補正対象書類名】明細書
【補正対象項目名】０１６７
【補正方法】変更
【補正の内容】
【０１６７】
上記は、ベースまたは容器を含む完全なごみ貯蔵機器に関して説明されており、ごみ貯蔵機器の上部部分は、上述されたあらゆる実施例の特長を組み込むために変更され、さらに、必要に応じて、既存のベースまたは容器に対して改造されるということが理解されるであろう。
以下に、本願出願の当初の特許請求の範囲に記載された発明を付記する。
［１］  ごみ貯蔵機器であって、
前記機器は、ごみ貯蔵カセットを受け入れる小室を備え、前記小室は、前記小室内で回転可能であり、ごみ注入口と喉部との間でごみを包むための袋織りを入れ得るカセットを受け入れ、
前記機器は、前記喉部に備えられ、その間を通過するごみの通路のための開口部を画定する解放された状態と、前記喉部において絞りを設ける把持している状態との間の操作のために配置されている、解放可能な把持装置をさらに具備する、ごみ貯蔵機器。
［２］  前記解放可能な把持装置は、把持している状態において、使用の際、ごみ貯蔵カセットから袋織りを集めて絞りを形成するように配置されている、［１］に記載のごみ貯蔵機器。
［３］  前記解放可能な把持装置は、解放された状態と把持している状態との間で回転可能である、［１］または［２］に記載のごみ貯蔵機器。
［４］  前記解放可能な把持装置の回転のためにそこに据え付けられている回転装置をさらに具備する、［３］に記載のごみ貯蔵機器。
［５］  前記回転装置は、前記ごみ貯蔵カセットを受け入れる小室内でのごみ貯蔵カセットの回転のためにさらに構成されている、［４］に記載のごみ貯蔵機器。
［６］  前記解放可能な把持装置が、使用の際、前記集められた袋織りに関して前記ごみ貯蔵カセットを回転させるために、前記集められた袋織りを、絞りの状態において実質上静止して保持するようにさらに配置されている、［１］ないし［５］のいずれか１に記載のごみ貯蔵機器。
［７］  前記解放可能な把持装置は、
回転可能な部分と、
回転不可能な部分と、
前記把持している状態において互いに交差して延在するように配置されており、各々は前記回転部分から延在している第１の端部と、前記固定されている部分から延在している第２の端部と、を有する少なくとも２つの弾性部材と、
を含む、［３］ないし［６］のいずれか１に記載のごみ貯蔵機器。
［８］  前記解放可能な把持装置は、使用の際、回転可能な係合のためにごみ貯蔵カセット上の協働する構成物と係合するように配置されている構成物を含む、［１］ないし［７］のいずれか１に記載のごみ貯蔵機器。
［９］  前記解放可能な把持装置は、前記解放可能な把持装置が把持している状態にあるとき、前記回転装置と係合しないように配置されている、［３］ないし［８］のいずれか１に記載のごみ貯蔵機器。
［１０］  前記構成物は、使用の際、前記解放可能な把持装置を、把持している状態から解放された状態まで解放するように配置されている移動可能な突起を具備する、［７］に従属するときに［７］または［８］に記載のごみ貯蔵機器。
［１１］  使用の際、前記把持装置を把持している状態でロックするために、前記移動可能な突起と係合するように配置されている突出部をさらに具備する、［１０］に記載にごみ貯蔵機器。
［１２］  前記機器は、使用の際、ごみ貯蔵カセットからの柔軟な袋織りを用いる複数のごみを個々に包むために配置されている、［１］ないし［１１］のいずれか１に記載のごみ貯蔵機器。
［１３］  使用の際、ごみカセット回転装置が前記ごみカセットを受け入れる小室内の回転を完了したときに、使用者にフィードバックを提供するように配置されているデテントをさらに具備する、［１］ないし［１２］のいずれか１に記載のごみ貯蔵機器。
［１４］  前記喉部に少なくとも部分的に延在するように配置されているピストンをさらに具備する、［１］ないし［１３］のいずれか１に記載のごみ貯蔵機器。
［１５］  前記ピストンは往復可能である、［１４］に記載のごみ貯蔵機器。
［１６］  前記ピストンは、前記喉部内の広範な場所にロック可能である、［１５］に記載のごみ貯蔵機器。
［１７］  ハウジングと、
ごみを包むための袋織りを入れているごみ貯蔵カセットを受け入れるための前記ハウジング内に画定されたごみカセットを受け入れる小室と、
ごみ貯蔵容器内への包まれたごみの通路のための喉部と、
そこにしっかりと据え付けられているピストンを含むカバーと、
を含むごみ貯蔵機器であって、
前記ピストンは、少なくとも部分的に前記喉部内に延在するために前記カバー内で移動可能である、ごみ貯蔵機器。
［１８］  前記ピストンは、前記喉部の方向に向かって先細になっている、［１７］に記載のごみ貯蔵機器。
［１９］  前記カバーは、開閉可能な蓋を含む、［１７］または［１８］に記載のごみ貯蔵機器。
［２０］  前記ピストンは、前記蓋に固定されている、［１８］に記載のごみ貯蔵機器。
［２１］  前記ピストンは、前記喉部から離れた方向にバイアスされている［１７］ないし［２０］のいずれか１に記載のごみ貯蔵機器。
［２２］  前記喉部に備えられ、ごみが通過する通路のための開口部を設ける解放された状態と、前記喉部内に絞りを設ける把持している状態との間の操作のために配置されている、解放可能な把持装置をさらに具備する、［１６］ないし［２１］のいずれか１に記載のごみ貯蔵機器。
［２３］  前記ピストンは、使用の際、測定された量の柔軟な袋織りをごみ貯蔵カセットから分配するように配置されている、［１７］ないし［２２］のいずれか１に記載のごみ貯蔵機器。
［２４］  前記ピストンは、使用の際、以前に形成されたごみパッケージを、前記ごみ貯蔵機器のごみ貯蔵コンパートメントに向かって促すように配置されている、［１７］ないし［２３］のいずれか１に記載のごみ貯蔵機器。
［２５］  ごみを包むための袋織りを貯蔵するための、ごみ貯蔵機器におけるごみ貯蔵カセットであって、
使用の際、袋織りが通過する開口部を設ける壁を有し、
前記ごみ貯蔵カセットは、使用の際、ごみ貯蔵機器上の協働する構成物と係合するためと、前記ごみ貯蔵機器内の解放可能な把持装置の操作のためと、の構成物をさらに具備する、ごみ貯蔵機器におけるごみ貯蔵カセット。
［２６］  ごみカセット回転装置上の協働する係合手段と係合するための係合手段をさらに具備する、［２５］に記載のごみ貯蔵カセット。
［２７］  前記カセット上の前記構成物は、ごみ貯蔵機器内の解放可能な把持装置上の協働する構成物と回転可能に係合するように配置されている、［２５］または［２６］に記載のごみ貯蔵カセット。
［２８］  把持している状態から解放された状態までの前記解放可能な装置の操作のために、解放可能な把持装置上の前記協働する構成物と回転可能に係合するように配置されている第２の構成物をさらに具備する、［２７］に記載のごみ貯蔵カセット。
［２９］  ごみを包むための袋織りを貯蔵するための、ごみ貯蔵機器におけるごみ貯蔵カセットであって、
使用の際、袋織りが通過する開口部を画定する外壁および内壁を有し、
前記ごみ貯蔵カセットは、前記外壁から前記内壁に向かって少なくとも部分的に延在する複数の突起をさらに具備する、ごみ貯蔵機器におけるごみ貯蔵カセット。
［３０］  ごみを包むための袋織りを入れているごみカセットを受け入れるように配置されているごみ貯蔵機器における解放可能な把持装置であって、
前記解放可能な把持装置は、ごみが通過する通路のための開口部を設ける解放された状態と、絞りを設ける把持している状態との間の操作のために配置されている、解放可能な把持装置。
［３１］ごみ注入口と、喉部との間にカセットを受け入れるための、ごみ貯蔵カセットを受け入れる小室を含むごみ貯蔵機器であって、
前記機器は、前記喉部に備えられ、その間を通過するごみの通路のための開口部を設ける解放された状態と、前記喉部において絞りを設ける把持している状態との間の操作のために配置されている、解放可能な把持装置をさらに具備し、
前記機器は、
前記ごみ貯蔵カセットを受け入れる小室内で回転可能で、ごみを包むための袋織りを貯蔵するために前記喉部領域に備えられている、ごみ貯蔵カセットをさらに具備し、
使用の際、袋織りが通過する開口部を設ける壁を有し、
前記ごみ貯蔵カセットは、前記解放可能な把持装置の操作のために、前記ごみ貯蔵機器上の協働する構成物と係合する、ごみ貯蔵機器。
［３２］  ごみ注入口と、喉部との間にカセットを受け入れるための、ごみ貯蔵カセットを受け入れる小室を含むごみ貯蔵機器であって、
前記機器は、
前記喉部に備えられ、その間を通過するごみの通路のための開口部を設ける解放された状態と、前記喉部において絞りを設ける把持している状態と、の間の操作のために配置されている、解放可能な把持装置をさらに具備し、
前記機器は、
前記ごみ貯蔵カセットを受け入れる小室内で回転可能で、使用の際、袋織りが通過する開口部を画定する外壁及び内壁を有し、ごみを包むための袋織りを貯蔵するために前記喉部領域に備えられている、ごみ貯蔵カセットをさらに具備し、
前記ごみ貯蔵カセットは、前記外壁から前記内壁に向かって少なくとも部分的に延在する複数の突起をさらに具備する、ごみ貯蔵機器。
［３３］  ごみを包むための袋織りを入れているカセットを受け入れるためのごみ貯蔵カセットを受け入れる小室を含むごみ貯蔵機器であって、
前記機器は、使用の際、袋織りの一部を集めて絞りを形成するように、および前記集められた袋織りに関して回転させるために前記集められた袋織りを実質上静止して保持するように、配置されている装置を含む、ごみ貯蔵機器。
［３４］  前記装置は、集める位置と解放する位置との間で開閉可能である、［３３］に記載のごみ貯蔵機器。
［３５］  実質上、添付図面のあらゆる組み合わせを参照して、本明細書で説明および図解されている、ごみ貯蔵機器。
［３６］ごみ貯蔵機器であって、
前記機器は、ごみ貯蔵カセットを受け入れる小室を備え、前記小室は、前記小室内で回転可能であり、ごみ注入口と喉部との間でごみを包むための袋織りを入れ得るカセットを受け入れ、
前記機器は、前記喉部に備えられ、その間を通過するごみの通路のための開口部を設ける解放された状態と、前記喉部において絞りを設ける把持している状態との間の操作のために配置されている、解放可能な把持装置をさらに具備し、
前記機器は、前記カセットを受け入れる小室内に受け入れられるごみを包むための袋織りを備えたカセットであって、そこから袋織りが前記喉部領域での拘束を通して引き出されることができるカセットをさらに具備する、ごみ貯蔵機器。
［３７］  ハウジングと、ごみを包むための袋織りを入れているごみ貯蔵カセットを受け入れるための前記ハウジング内に設けられているごみ受け入れ小室と、ごみ貯蔵容器内への包まれたごみの通路のための喉部と、そこにしっかりと据え付けられているピストンを含むカバーと、
を含むごみ貯蔵機器であって、
前記ピストンは、少なくとも部分的に前記喉部内に延在するために前記カバー内で移動可能であり、
袋織りが前記喉部を通って引き出されるように配置されている前記ごみ受け入れ小室内の袋織りを入れているごみ貯蔵カセットをさらに具備する、ごみ貯蔵機器。
［３８］  ごみを包むための袋織りを入れているカセットを受け入れるためのごみ貯蔵カセットを受け入れる小室を含むごみ貯蔵機器であって、
前記機器は、使用の際、袋織りの一部を集めて絞りを形成するように、および前記集められた袋織りに関して回転させるために前記集められた袋織りを実質上静止して保持するように、配置されている装置を含み、
前記袋織りが前記装置において集められるように配置されている前記ごみ受け入れ小室内にごみ貯蔵カセットをさらに具備する、ごみ貯蔵機器。
［３９］  ［２５］ないし［２９］のいずれか１に記載の、ごみ貯蔵カセットを受け入れる小室とごみ貯蔵カセットと、を含むごみ貯蔵機器、または［３０］に記載の解放可能な把持装置を含むごみ貯蔵機器。